(57)【要約】【課題】  本発明の課題のうちの１つは、複数の香りを選択的に放出可能なＰＯＰ広告用放香装置を提供することにある。【解決手段】  本発明に係るＰＯＰ広告用放香装置は、所定の面に配置された通風孔と、内部に配置された支持体へと支持され、前記通風孔に向けて送風を行うファンと、を備えた箱状の看板本体と、所定のスライド体と、前記スライド体に所定の間隔で通気性をもたらすよう配置され、互いに隔離された、通気性を有する異なる複数の芳香体と、から構成され、前記看板本体又は前記支持体に対してスライド可能に支持された、芳香体スライド部材と、を有する。【選択図】  図１
2017207721.tif 000002
【特許請求の範囲】
【請求項１】
所定の商品に関する香りを放出可能なＰＯＰ広告用放香装置であって、
所定の面に配置された通風孔と、内部に配置された支持体へと支持され、前記通風孔に向けて送風を行うファンと、を備えた箱状の看板本体と、
所定のスライド体と、前記スライド体に所定の間隔で通気性をもたらすよう配置され、互いに隔離された、通気性を有する異なる複数の芳香体と、から構成され、前記看板本体又は前記支持体に対してスライド可能に支持された、芳香体スライド部材と、を有し、
前記芳香体スライド部材をスライドさせ、前記ファンにより送り出される気体流路上に前記スライド部材の前記芳香体の１つが配置された場合に、当該芳香体に係る香りが放出される、ＰＯＰ広告用放香装置。
【請求項２】
前記スライド体は、円形スライド体であり、
前記複数の芳香体は、前記円形スライド体の所定の円周上に所定の間隔で配置される、
請求項１に記載のＰＯＰ広告用放香装置。
【請求項３】
前記スライド体は、長方形スライド体であり、
前記複数の芳香体は、長方形スライド体の長手方向に所定の間隔で配置される、
請求項１に記載のＰＯＰ広告用放香装置。
【請求項４】
前記芳香体スライド部材は、前記通風孔の外側に支持される、請求項１に記載のＰＯＰ広告用放香装置。
【請求項５】
前記芳香体は、所定の香りを放つ芳香剤と、前記芳香剤をその内部へと格納する中空の芳香剤格納部材とから構成される、請求項１に記載のＰＯＰ広告用放香装置。
【請求項６】
各前記芳香剤はそれぞれ芳香剤の香りと関連する色に着色され、かつ、前記芳香剤格納部材は、透明である、請求項５に記載のＰＯＰ広告用放香装置。
【請求項７】
前記芳香剤格納部材は、半球形状を有する、請求項６に記載のＰＯＰ広告用放香装置。
【請求項８】
前記看板本体の前記所定の面は、上方に向けて傾斜している、請求項１に記載のＰＯＰ広告用放香装置。
【請求項９】
前記ファンを、所定時間、駆動させる駆動スイッチをさらに有する、請求項１に記載のＰＯＰ広告用放香装置。
【請求項１０】
前記放香装置の近傍の人を検出する人感センサと、
前記人感センサにより近傍に人が検出された場合に、前記放香装置の操作方法を案内するガイド音声を出力する音声スピーカと、をさらに有する、請求項９に記載のＰＯＰ広告用放香装置。
【請求項１１】
前記ファンが駆動している間、前記ファンが駆動中であることを示す出力動作を行うファン駆動出力動作部をさらに有する、請求項９に記載の放香装置。
【請求項１２】
前記ファン駆動出力動作部は、前記ファンが駆動している間、発光する発光部である、請求項１１に記載の放香装置。
【請求項１３】
前記看板本体の表面には、前記芳香体を前記ファンの送風流路上に位置合わせするための表示が設けられている、請求項１に記載のＰＯＰ広告用芳香装置。
【請求項１４】
所定の商品に関する香りを放出可能なＰＯＰ広告用放香装置であって、
所定の面に配置された複数の通風孔を備えた箱状の看板本体と、
前記看板本体へと挿入又は支持され、互いに隔離された複数の芳香体を前記通風孔の位置と対応する位置に各々保持する芳香体支持部材と、
前記看板本体へと挿入され、ファンをスライド可能に支持する、ファン支持部材と、を有し、
前記ファンがスライドされ、前記ファンの位置が、前記通風孔のうちの１つとそれに対応する所定の芳香体の位置と整合した場合に、前記所定の放香体の香りが放出される、ＰＯＰ広告用放香装置。
【請求項１５】
吹き出し口を有する送風器と、
異なる芳香源が収容された複数の通気性容器を所定方向に沿って配列した状態で一括担持してなる芳香源一括担持体と、
前記送風器の吹き出し口と前記複数の通気性容器とが順次に対向するように、前記送風器と前記芳香源一括担持体とを相対的にスライドさせるためのスライド案内機構とを含み、
前記吹き出し口と前記複数の通気性容器のうち所望の芳香源が収容された通気性容器とを対向させることにより、所望の芳香源の香りを生成する、ＰＯＰ広告用放香装置。
【請求項１６】
所定の商品に関する香りを放出可能なＰＯＰ広告用放香装置であって、
互いに隣接し、複数の羽板から成る２つのルーバを有する箱状の看板本体と、
前記看板本体の内部であって前記２つのルーバの中間点に設けられ、各前記ルーバを介して外部へと送風を行うファンと、
前記看板本体に配置され、前記ファンと前記ルーバとの間に配置された風向調整板を回動させる風向調節操作子と、を有し、
前記風向調節操作子を操作することにより、前記風向調整板は回動し、それにより、一方のルーバへの気体流路が遮断されると同時に、他方のルーバへの気体の流入が促される、ＰＯＰ広告用放香装置。
【発明の詳細な説明】
【技術分野】
【０００１】
この発明は、複数の香りを放出可能なＰＯＰ（Ｐｏｉｎｔ  Ｏｆ  Ｐｕｒｃｈａｓｅ）広告用放香装置に関する。
【背景技術】
【０００２】
容器内に単一の芳香剤（例えば、カレーの香りを放つ芳香剤など）を配置し、当該芳香剤の香りを容器に備えられたファンを用いて排気するＰＯＰ装置が知られている（例えば、特許文献１参照）。このようなＰＯＰ装置によれば、消費者の嗅覚へと働きかけることで、その芳香剤の香りに関連する商品の購買を誘引することができる。
【先行技術文献】
【特許文献】
【０００３】
【特許文献１】実用新案登録第３１４１８５８号公報
【発明の概要】
【発明が解決しようとする課題】
【０００４】
しかしながら、上述の単一の香りを放出するＰＯＰ装置では、同種の商品でありながら複数の香りのバリエーションを有する商品について販売促進を行うことが困難であった。すなわち、複数の香りを放出させるために複数のＰＯＰ装置を用意すればコストが増大し、この種のＰＯＰ装置に通常想定されるコスト要求に合わなかった。また、複数のＰＯＰ装置を容易すれば商品陳列スペースを占有することとなり、商品販売の妨げとなるおそれもあった。さらに、複数の香りを単純に同時に放出すれば、売り場において香りが混合し、消費者が特定の香りを峻別することが困難であり、結果として商品の販売促進効果が希釈化されてしまうおそれもあった。
【０００５】
本発明は上述の課題を解決するためになされたもので、その目的は、複数の香りを選択的に放出可能なＰＯＰ広告用放香装置を提供することにある。
【０００６】
この発明のさらに他の目的並びに作用効果については、明細書の以下の記述を参照することにより、当業者によれば容易に理解されるであろう。
【課題を解決するための手段】
【０００７】
上述の技術的課題は、以下の構成により解決される。
【０００８】
すなわち、本発明に係るＰＯＰ広告用放香装置は、所定の面に配置された通風孔と、内部に配置された支持体へと支持され、前記通風孔に向けて送風を行うファンと、を備えた箱状の看板本体と、所定のスライド体と、前記スライド体に所定の間隔で通気性をもたらすよう配置され、互いに隔離された、通気性を有する異なる複数の芳香体と、から構成され、前記看板本体又は前記支持体に対してスライド可能に支持された、芳香体スライド部材と、を有し、前記芳香体スライド部材をスライドさせ、前記ファンにより送り出される気体流路上に前記スライド部材の前記芳香体の１つが配置された場合に、当該芳香体に係る香りが放出される。なお、上記芳香体スライド部材のスライドは、所定の平行状態を保った状態で相対的位置関係が変わるようなものであればどのような態様も含み、従って、直線的なスライドのみならず、回転方向のスライドも含まれる。また、看板本体との語句は、人の注意を喚起し得る筐体といった程度の意味であり、例えば、商品に関する広告情報等が描かれた筐体を含み得る。
【０００９】
このような構成によれば、複数の香りを選択的に放出可能なＰＯＰ広告用放香装置を提供することができる。
【００１０】
また、前記スライド体は、円形スライド体であり、前記複数の芳香体は、前記円形スライド体の所定の円周上に所定の間隔で配置されてもよい。
【００１１】
このような構成によれば、回転中心を中心としてコンパクトに複数の芳香体を配置することができるので、縦横に十分なスペースがない場所にも置くことが可能なＰＯＰ広告用放香装置を提供することができる。
【００１２】
さらに、前記スライド体は、長方形スライド体であり、前記複数の芳香体は、長方形スライド体の長手方向に所定の間隔で配置されてもよい。
【００１３】
このような構成によれば、前記芳香体スライド部材を、一軸方向にスライドさせることができるので、当該軸方向以外の方向への設計がコンパクトにできると同時に、前記芳香体スライド部材のスムーズで容易なスライドが可能なＰＯＰ広告用放香装置を提供することができる。
【００１４】
加えて、前記芳香体スライド部材は、前記通風孔の外側に支持されてもよい。このような構成によれば、各前記芳香剤同士の香りが看板本体内で混ざり合うことがない。従って、より長期間、各芳香剤の香りを独立して維持することができる。
【００１５】
また、前記芳香体は、所定の香りを放つ芳香剤と、前記芳香剤をその内部へと格納する中空の芳香剤格納部材とから構成されてもよい。
【００１６】
このような構成によれば、芳香剤格納部が中空であるので、芳香剤を自在に入れ替えることができる。
【００１７】
また、各前記芳香剤はそれぞれ芳香剤の香りと関連する色に着色され、かつ、前記芳香剤格納部材は、透明であってもよい。
【００１８】
このような構成によれば、外部から香芳香剤の色を視認することができるので、直感的に芳香剤の香りを想像することができ、それにより芳香剤の選択が容易となる。
【００１９】
さらに、前記芳香剤格納部材は、半球形状を有していてもよい。
【００２０】
このような構成によれば、デザイン性に優れてより注意喚起を行うことができるばかりでなく、角がないことから極端な変形等が生じにくい芳香剤格納部材を提供することができる。
【００２１】
加えて、前記看板本体の前記所定の面は、上方に向けて傾斜していてもよい。
【００２２】
このような構成によれば、商品陳列棚の比較的下方に配置される傾向がある商品と共に置かれる場合であっても、消費者の鼻付近へと適切に送風を行うことができる
【００２３】
また、上記放香装置は、前記ファンを、所定時間、駆動させる駆動スイッチをさらに有してもよい。
【００２４】
このような構成によれば、駆動スイッチを積極的に押下して初めて所望の香りが漂うので、消費者が試そうとする香りの特定が容易となる。
【００２５】
また、上述のＰＯＰ広告用放香装置は、前記放香装置の近傍の人を検出する人感センサと、前記人感センサにより近傍に人が検出された場合に、前記放香装置の操作方法を案内するガイド音声を出力する音声スピーカと、をさらに有してもよい。
【００２６】
このような構成によれば、前記放香装置の前を通過する消費者に対して、当該放香装置への注意喚起と、当該放香装置に関する操作方法の提示を行うことができる。
【００２７】
さらに、上述のＰＯＰ広告用放香装置は、前記ファンが駆動している間、前記ファンが駆動中であることを示す出力動作を行うファン駆動出力動作部をさらに有してもよい。
【００２８】
このような構成によれば、前記ファンの駆動を放香装置の外部から直接目視することができない場合であっても、消費者は、送風が行われているか否かをファン駆動出力動作部の状態から明確に確認することができる。これにより、売り場の消費者は、確実に特定の試したい香りを試すことができる。
【００２９】
また、前記ファン駆動出力動作部は、前記ファンが駆動している間、発光する発光部であってもよい。
【００３０】
このような構成によれば、前記ファンの駆動を放香装置の外部から直接目視することができない場合や、前記ファンの動作音を確認することができない賑やかな売り場であっても、消費者は、送風が行われているか否かを発光部の状態から明確に確認することができる。これにより、売り場の消費者は、確実に特定の試したい香りを試すことができる。
【００３１】
さらに、前記看板本体の表面には、前記芳香体を前記ファンの送風流路上に位置合わせするための表示が設けられていてもよい。
【００３２】
このような構成によれば、前記看板本体内の前記ファンの位置が装置外から目視できない場合であっても、適切に芳香体の位置合わせを行うことができる。
【００３３】
別の側面から見た本発明に係るＰＯＰ広告用放香装置は、所定の面に配置された複数の通風孔を備えた箱状の看板本体と、前記看板本体へと挿入又は支持され、互いに隔離された複数の芳香体を前記通風孔の位置と対応する位置に各々保持する芳香体支持部材と、前記看板本体へと挿入され、ファンをスライド可能に支持する、ファン支持部材と、を有し、前記ファンがスライドされ、前記ファンの位置が、前記通風孔のうちの１つとそれに対応する所定の芳香体の位置と整合した場合に、前記所定の放香体の香りが放出される。
【００３４】
このような構成によれば、複数の香りを選択的に放出可能なＰＯＰ広告用放香装置を提供することができる。
【００３５】
別の側面から見た本発明に係るＰＯＰ広告用放香装置は、吹き出し口を有する送風器と、異なる芳香源が収容された複数の通気性容器を所定方向に沿って配列した状態で一括担持してなる芳香源一括担持体と、前記送風器の吹き出し口と前記複数の通気性容器とが順次に対向するように、前記送風器と前記芳香源一括担持体とを相対的にスライドさせるためのスライド案内機構とを含み、前記吹き出し口と前記複数の通気性容器のうち所望の芳香源が収容された通気性容器とを対向させることにより、所望の芳香源の香りを生成する。
【００３６】
このような構成によれば、複数の香りを選択的に放出可能なＰＯＰ広告用放香装置を提供することができる。
【００３７】
別の側面から見た本発明に係るＰＯＰ広告用放香装置は、互いに隣接し、複数の羽板から成る２つのルーバを有する箱状の看板本体と、前記看板本体の内部であって前記２つのルーバの中間点に設けられ、各前記ルーバを介して外部へと送風を行うファンと、前記看板本体に配置され、前記ファンと前記ルーバとの間に配置された風向調整板を回動させる風向調節操作子と、を有し、前記風向調節操作子を操作することにより、前記風向調整板は回動し、それにより、一方のルーバへの気体流路が遮断されると同時に、他方のルーバへの気体の流入が促される。
【００３８】
このような構成によれば、風向を調節することによって、複数の香りを選択的に放出可能なＰＯＰ広告用放香装置を提供することができる。
【発明の効果】
【００３９】
本発明によれば、複数の香りを選択的に放出可能なＰＯＰ広告用放香装置を提供することができる。
【図面の簡単な説明】
【００４０】
【図１】図１は、放香装置の外観斜視図（第１の実施形態）である。
【図２】図２は、放香装置の組立態様を示す斜視図である。
【図３】図３は、看板本体の展開図である。
【図４】図４は、支持体の展開図（表面）である。
【図５】図５は、支持体の展開図（裏面）である。
【図６】図６は、回転体の構成を示す正面図である。
【図７】図７は、芳香剤格納部の拡大斜視図である。
【図８】図８は、芳香剤格納部の選択の様子を示す説明図である。
【図９】図９は、支持体と回転体の部分分解斜視図である。
【図１０】図１０は、放香装置の外観斜視図（第２の実施形態）である。
【図１１】図１１は、放香装置の組立態様を示す斜視図である。
【図１２】図１２は、看板本体の展開図である。
【図１３】図１３は、直動スライド部材の構成について示す説明図である。
【図１４】図１４は、支持体の展開図（表面）である。
【図１５】図１５は、支持体の展開図（裏面）である。
【図１６】図１６は、芳香剤格納部の選択の様子を示す説明図である。
【図１７】図１７は、放香装置の外観斜視図（第３の実施形態）である。
【図１８】図１８は、放香装置の正面図及び背面図である。
【図１９】図１９は、放香装置の組立態様及び送風態様を示す斜視図である。
【図２０】図２０は、放香装置の外観斜視図（第４の実施形態）である。
【図２１】図２１は、放香装置の組立態様及び送風態様を示す斜視図である。
【図２２】図２２は、ファンの移動態様について示す説明図である。
【図２３】図２３は、放香装置の外観斜視図（第５の実施形態）である。
【図２４】図２４は、放香装置の正面図である。
【図２５】図２５は、放香装置の内部構成を示す部分破断図である。
【図２６】図２６は、切替機構について説明する装置断面図である。
【発明を実施するための形態】
【００４１】
以下に、本発明に係る感熱記録媒体等の好適な実施の一形態を、添付の図面を参照しながら詳細に説明する。
【００４２】
＜１．第１の実施形態＞
＜１．１  放香装置の構成＞
図１〜９を参照しつつ、本発明の第１の実施形態に係る、ＰＯＰ広告用の放香装置１について説明する。
【００４３】
図１は、第１の実施形態に係る放香装置１の外観斜視図である。放香装置１は、販売促進対象となる商品に関する広告情報がその前面シート１０ａに描かれた紙製のシートを箱状に成型した看板本体１０と、看板本体１０の前面シート１０ａに設けられた円形開口部１４から突出し、図示しない支持体３０に回転可能に支持された円形の回転体６０と、を備える。
【００４４】
看板本体１０には、種々の孔が設けられ、各孔からは、後述する種々の電気的動作に必要な主電源のオン・オフ操作を行う主電源スイッチ操作子３１、看板本体１０の内部に配置されたファン４２を動作させるファン駆動ボタン３２、ファン４２が駆動している間点灯する動作ランプ３３、後述するガイド音声等の音量調整を行う音量調節用の操作子３４、及びフォトレジスタ（例えば、ＣｄＳセンサ等）等を利用した人感センサ３５が、それぞれ覗いている。また、看板本体１０の左右の側面にはファン４２への吸気を行う吸気孔１１ａ（図示せず）及び吸気孔１１ｂが左右対称に設けられており、前面シート１０ａには、円形開口部１４の近傍に、後述するスピーカ３９の位置に対応してスピーカ用孔１３が設けられている。
【００４５】
また、回転体６０は、その中心部を留めピン６１ａにて支持体３０に軸止させることで回転自在に支持された回転ディスク６８と、回転ディスク６０上の所定の半径上に所定の間隔で５つ配置され、粒状の芳香剤６３を内部に格納した通気性を有する芳香剤格納部６２と、から構成されている。
【００４６】
このような芳香剤格納部６２が前面シート１０ａより突出させて配置する構成によれば、各芳香剤６３同士の香りが看板本体１０内で混ざり合うことがない。従って、より長期間、芳香剤６３の香りを独立して維持することができる。また、突出した芳香剤格納部６２は、後述の、芳香剤６３の選択のための回転体６０の回転動作を行う際の持ち手ともなり得る。
【００４７】
図２は、放香装置１の組立態様について示す斜視図である。放香装置１は、支持体３０を、看板本体１０の上面シート１０ｂを開けて挿入することにより組み立てられる。なお、支持体３０は、看板本体１０への挿入前に、予め回転体６０と留めピン６１ａを介して軸止している。
【００４８】
このような複数の部材を組立てにより放香装置１を構成する構成によれば、広告情報が描かれた看板本体１０、機能部品を含む支持体３０、或は芳香剤６３を適宜変更することができる。これにより、例えば、新商品が出た場合でもすべての部材を取り換える必要がなく、コストの低減が可能となる。
【００４９】
次に、図３〜図７を参照しつつ、放香装置１を構成する各構成部品の詳細について説明する。
【００５０】
図３は、販売促進対象となる商品に関する広告情報が表面に印刷された紙製の看板本体１０の展開図である。看板本体１０は、組み立てた際に前面となる前面シート１０ａ、背面となる背面シート１０ｅ、左右の側面となる側面シート１０ｄ、１０ｆ、上面となる上面シート１０ｂ、底面となる底面シート１０ｃとが連結されている。各シートには箱状に組み立てることが可能となるよう、接着剤或は両面粘着テープののりしろとなる余白部が適宜設けられている。
【００５１】
各シートには、内容物に対応して種々の孔や開口部が設けられている。すなわち、前面シート１０ａには、円形開口部１４、人感センサ用孔１９、スピーカ用孔１３が設けられ、左右の側面シート１０ｄ、１０ｆには、それぞれ吸気孔１１ａ、１１ｂが設けられ、上面シート１０ｂには、主電源スイッチ用孔１５ａ、ファン駆動ボタン用孔１６、動作ランプ用孔１７、音量調節用の操作子用孔１８ａが設けられている。なお、箱状に織り込んだ際に上面シート１０ｂの下へと重なる側面シート１０ｄ、１０ｆの一部には、主電源スイッチ用孔１５ｂと音量調節用の操作子用孔１８ｂが設けられている。
【００５２】
図４及び図５を参照しつつ、折り畳むことで看板本体１０へと挿入される厚紙製の支持体３０について説明する。
【００５３】
図４は、支持体３０の展開図（表面）である。支持体３０は、組み立てた際に、底面となる第１の底面シート３０ｅ、前面となる前面シート３０ａ、上面となる上面シート３０ｂ、背面となる背面シート３０ｃ、第２の底面となる第２の底面シート３０ｄを順に連結して構成される。支持体３０は折り曲げることで断面長方形状となり、紙製の看板本体１０を内側から支持する。
【００５４】
前面シート３０ａ上には、回転ディスク６８と、回転ディスク６８上に配置された複数の芳香剤格納部６２とから構成され、留めピン６１ａを介して前面シート３０ａへと回転可能に軸止された回転体６０が設けられている。また、前面シート３０ａには、背面に配置された人感センサ３５に対応する位置に設けられた孔と、背面に配置されたスピーカ３９に対応する位置に設けられたスピーカ用孔３８とが設けられている。
【００５５】
さらに、上面シート３０ｂには、ファン駆動ボタン３２と、動作ランプ３３とが設けられており、また、折り畳んだ際に、背面側に設けられた主電源スイッチ操作子３１と音量調節用の操作子３４とが各々突出する主電源スイッチ用孔３６と音量調節用の操作子用孔３７とが設けられている。
【００５６】
図５は、支持体３０の展開図（裏面）である。前面シート３０ａの裏面には、スピーカ３９、スピーカ３９の音量の調節操作を行うための音量調節用の操作子３４、スピーカ３９と人感センサ３５を固定する固定具４０、電池ボックス４３、電池ボックス４３に隣接して配置され、主電源スイッチ操作子３１を含む主電源スイッチボックス４４が設けられている。また、上面シート３０ｂの裏面には、ファン駆動ボタン３２を固定するためのファン駆動ボタン用孔４５、及び、動作ランプ制御回路部４６とが設けられている。
【００５７】
上記各素子は、図示しないコネクタ等を介して有線で、前面シート３０ａの裏面に配置された制御回路部４１と接続されており、制御回路部は、後述のように各素子を動作させる。
【００５８】
なお、回転体６０を軸止させる留めピン６１ａは、対となる留め具６１ｂによりその端部を係止され、回転ディスク６８は留めピン６１ａを中心として回転する。
【００５９】
図６及び図７を参照しつつ、回転体６０の構成について詳細に説明する。
【００６０】
図６は、回転体６０の構成を示す正面図である。同図から明らかな通り、回転ディスク６８には、中心に回転軸となる留めピン用孔６１ｃが設けられ、その所定の半径上に所定の間隔で第１〜第５の芳香剤格納部６２ａ〜６２ｅが配置されている。各芳香剤格納部６２ａ〜６２ｅには、粒上の芳香剤６３ａ〜６３ｅが格納されている。なお、既に述べたように、芳香剤６３は、種々の芳香成分を吸着可能な球状粒に、各種芳香成分、例えば、ミント、レモン、ローズマリー、ラベンダー、カモミール等の香り成分を吸着させ、各種成分と観念的に関連する着色料（例えば、ミントであれば緑色、レモンであれば黄色、ローズマリーでは赤色、ラベンダーであれば紫色、カモミールであればオレンジ色など）により着色したものである。
【００６１】
図７を参照しつつ、芳香剤格納部６２の構成について説明する。図７は、第４の芳香剤格納部６２ｄの拡大図である。芳香剤格納部６２は半球形状を有しており、当該半球の曲面上には散点状に、芳香剤６３が外に出てしまうことがない程度の大きさの前面側通気孔６４が複数設けられている。また、回転ディスク６８上であって、芳香剤格納部６２に対応する位置には、芳香剤６３が外に出てしまうことがない程度の大きさの背面側通気孔６５が複数設けられている。なお、芳香剤格納部６２の半球形状部分は透明であり、例えば、所定の樹脂を真空成型法等を用いて加工することにより成型される。
【００６２】
芳香剤格納部６２は、前面側通気孔６４と背面側通気孔６５とを有しているため、芳香剤格納部６２は通気性を有する。従って、例えば背面側から送風をされると、前面側に芳香剤６３の香りを放出することができる。
【００６３】
また、芳香剤格納部６２の半球形状部分は透明である。そのため、外部から芳香剤６３の色を視認することができ、着色された芳香剤を通じて、視覚的に芳香剤のイメージを把握することができる。
【００６４】
＜１．２  放香装置の動作＞
次に、図８及び図９を参照しつつ、放香装置１の一連の動作について説明する。
【００６５】
本実施形態に係る放香装置１は、小売店（例えば、スーパーマーケット）等に置かれるＰＯＰ広告用途で用いられ、例えば、芳香剤、洗濯洗剤、柔軟剤、シャンプー等のように、香りが商品選択の重要な要素となるあらゆる商品の売り場に配置され得る。
【００６６】
主電源スイッチ操作子３１がオンの状態にある場合に、放香装置１の前を人が通ると、当該人の通過は放香装置１に備えられた人感センサ３５により検出され、その検出に応じてスピーカ用孔１３から「５種類の香りが試せます。選んでからボタンを押してください。」との操作ガイド音声が流される。
【００６７】
このような人感センサ３５と連携した操作ガイド音声により、放香装置１の前を通過する消費者に対して、放香装置１への注意喚起と、放香装置１に関する操作方法の提示を行うことができる。
【００６８】
次に、消費者は、操作ガイド音声に従い、芳香剤格納部６２等を掴んで回転ディスク６８を回転させ、複数の芳香剤格納部６２のうちの１つを、所定の位置合わせ表示１２の位置へと合わせる。
【００６９】
図８を参照しつつ、具体的に説明する。初期状態である図８（ａ）の回転前状態にあっては、第４の芳香剤格納部６２ｄが最下部に存在する。このとき、第３の芳香剤格納部６２ｃに格納された第３の芳香剤６３ｃを試したい消費者は、図８（ｂ）の回転後状態に示されるよう、回転ディスク６８を時計回りに回転させ、第３の芳香剤格納部６２ｃを最下部に配置させる。このようにして消費者は、香りを試したい特定の芳香剤６３を選択することができる。
【００７０】
なお、看板本体１０上の位置合わせ表示１２が示す位置は、看板本体１０内のファン４２の送風出口を示している。図９は、支持体３０と回転体６０の部分分解斜視図である。同図から明らかな通り、ファン４２から図示しない円形開口部１４の方向に向けて送出された気体は、前面シート３０ａに空けられた送風孔５１を介して、最下部に位置する芳香剤格納部６２へと至り、背面側通気孔６５及び前面側通気孔６４を有して通気性を有する芳香剤格納部６２を通じて外部へと送出される。
【００７１】
すなわち、芳香剤格納部６２は、同図の例にあっては、回転ディスク６８の最下部の位置にある場合にのみ、その内部の芳香剤６３の香りを放出することができる。これにより、選択的に特定の芳香剤６３の香りを放出することができる。
【００７２】
また、上記位置合わせ表示１２を有する構成によれば、看板本体１０内のファン４２の位置が装置外から目視できない場合であっても、適切に芳香剤格納部６２の位置合わせを行うことができる。
【００７３】
最後に、ファン駆動ボタン３２が押下されると、看板本体１０内のファン４２が所定時間（例えば、５秒程度）駆動され、円形開口部１４に向けて送風が行われる。この送風により、前記芳香剤格納部６２内の芳香剤６３の香りは、芳香剤格納部６２の外部へと拡散される。なお、ファン４２による送風が行われている間、動作ランプ３３は点灯又は点滅している。
【００７４】
このような構成によれば、ファン駆動ボタン３２を積極的に押下して初めて消費者の所望の香りが漂うので、試そうとする香りの特定が容易となる。
【００７５】
また、放香装置１は、動作ランプ３３を備えている。このような構成によれば、ファン４２の駆動を放香装置の外部から直接目視することができない場合や、ファン４２の動作音を確認することができない賑やかな売り場であっても、消費者は、送風が行われているか否かを動作ランプ３３の状態から明確に確認することができる。これにより、売り場の消費者は、確実に特定の試したい香りを試すことができる。
【００７６】
なお、本実施形態においては、ファンの駆動中に動作ランプが点灯又は点滅する構成について説明した。しかしながら、本発明はこのような例に限定されない。従って、消費者にファンが動作中であることを呈示する他の如何なる表示を採用してもよい。例えば、ファン駆動中に音声や音楽が流れる構成としてもよい。
【００７７】
＜２．第２の実施形態＞
次に、本発明の第２の実施形態に係る、直動するスライド部材を備えたＰＯＰ広告用の放香装置１００について説明する。
【００７８】
＜２．１  放香装置の構成＞
図１０は、第２の実施形態に係る放香装置１００の外観斜視図である。放香装置１００は、紙製のシートを箱状に成型した看板本体１１０と、看板本体１１０の第１の前面シート１１０ａに設けられた略長方形の開口部１１４から突出し、前記看板本体１００の長手方向に直動可能に支持された直動スライド部材１６０と、を備える。
【００７９】
看板本体１１０には、種々の孔が設けられ、各孔からは、後述する種々の電気的動作の主電源のオン・オフ操作を行う主電源スイッチ操作子１３１、看板本体１１０の内部に配置されたファン１４２を動作させるファン駆動ボタン１３２、ファン１４２が駆動している間点灯する動作ランプ１３３、後述する操作ガイド音声等の音量調整を行う音量調節用の操作子１３４、及びフォトレジスタ（例えば、ＣｄＳセンサ等）等を利用した人感センサ１３５が、それぞれ覗いている。また、看板本体１１０の左側面には、ファン１４２への吸気を行う吸気孔１１１（図示せず）が設けられており、上面シート１１０ｂには、後述するスピーカ１３９の位置に対応してスピーカ用孔１１３が設けられている。
【００８０】
上述の看板本体１１０の前面は上方に向けて傾斜している。このような構成によれば、当該傾斜面から上方に向けて香りの放出を行うことができる。ここで、柔軟剤やシャンプーなどの比較的に重い又は大きい商品は、売り場の商品陳列棚の比較的下方に配置される傾向がある。従って、送風面が傾斜した上記構成によれば、放香装置１００が、その種の商品と共に置かれる場合であっても、消費者の鼻付近へと適切に送風を行うことができる。
【００８１】
また、直動スライド部材１６０は、広告対象となる商品に関する情報が描かれ、看板本体１１０の横幅と同程度の長さを有する長方形部材１６１と、長方形部材１６１上に所定の間隔で配置され、粒状の芳香剤１６３を内部に格納した、通気性を有する３つの芳香剤格納部１６２ａ〜１６２ｃが配置されている（図１１参照）。  
【００８２】
このような芳香剤格納部１６２が前面シート１１０ａより突出させて配置する構成によれば、各芳香剤１６３同士の香りが看板本体１１０内で混ざり合うことがない。従って、より長期間、芳香剤１６３の香りを独立して維持することができる。また、突出した芳香剤格納部１６２は、後述の、芳香剤６３の選択のための直動スライド動作を行う際の持ち手ともなり得る。
【００８３】
図１１は、放香装置１００の組立態様について示す斜視図である。放香装置１００は、支持体１３０を、看板本体１１０の右側面シート１１０ｆを開けて挿入することにより組み立てられる。直動スライド部材１６０は、第１の前面シート１１０ａと第２の前面シート１１０ｅとの間に挟まれ、看板本体１１０の長手方向に直動可能に支持されている。
【００８４】
このような複数の部材を組立てにより放香装置１００を構成する構成によれば、看板本体１１０、機能部品を含む支持体１３０、或は直動スライド部材１６０を適宜変更することができる。これにより、例えば、新商品が出た場合でもすべての部材を取り換える必要がなく、コストの低減が可能となる。
【００８５】
次に、図１２〜１５を参照しつつ、放香装置１００を構成する各構成部品の詳細について説明する。
【００８６】
図１２は、紙製の看板本体１１０の展開図である。看板本体１１０は、組み立てた際に前面となる第１の前面シート１１０ａ、上面となる上面シート１１０ｂ、背面となる背面シート１１０ｃ、底面となる底面シート１１０ｄ、前面となる第２の前面シート１１０ｅ、左側面となる左側面シート１１０ｇ及び右側面となる右側面シート１１０ｆとを連結して成る。各シートには箱状に組み立てることが可能となるよう、接着剤又は両面粘着テープののりしろとなる余白部が適宜設けられる。また、後述するように、第１の前面シート１１０ａに設けられた差し込み片１２１ａを第２の前面シート１１０ｅのスリット１２１ｂへと差し込むことで第１の前面シート１１０ａと第２の前面シート１１０ｅとの間に直動スライド部材１６０を保持可能となる。
【００８７】
第１の前面シート１１０ａには、略長方形の開口部１１４、動作ランプ用孔１１７ａ、及び人感センサ用孔１１９ａが設けられ、上面シート１１０ｂには、ファン駆動ボタン用孔１１６及びスピーカ用孔１１３が設けられ、第２の前面シート１１０ｅには、通風孔１２０、動作ランプ用孔１１７ａ、及び人感センサ用孔１１９ａが設けられている。また、左側面シート１１０ｇには、吸気孔１１１が設けられ、右側面シート１１０ｆには、主電原スイッチ用孔１１５及び音量調節用の操作子用孔１１８が設けられている。
【００８８】
図１３は、直動スライド部材１６０の構成について示す説明図である。図１３（ａ）は、直動スライド部材１６０の構成について示す正面図である。直動スライド部材１６０は、広告対象となる商品に関する情報が描かれ、看板本体１１０の横幅と同程度の長さを有する長方形部材１６１と、長方形部材１６１上に所定の間隔で配置され、第１〜第３の芳香剤１６３ａ〜１６３ｃを内部に格納した３つの芳香剤格納部１６２ａ〜１６２ｃとから構成される。なお、芳香剤６３は、種々の芳香成分を吸着可能な球状粒に、各種芳香成分、例えば、ミント、レモン、ローズマリー、ラベンダー、カモミール等の香り成分を吸着させ、各種成分と観念的に関連する着色料（例えば、ミントであれば緑色、レモンであれば黄色、ローズマリーでは赤色、ラベンダーであれば紫色、カモミールであればオレンジ色など）により着色したものである。長方形部材１６１の左上部には、動作ランプ１３３及び人感センサ１３５との接触を避けるための凹部１６６が設けられている。また、芳香剤格納部１６２ａ〜１６２ｃは透明で半球形状を有しており、当該半球の曲面上には散点状に、芳香剤６３が外に出てしまうことがない程度の大きさの前面側通気孔１６４ａ〜１６４ｃが設けられている。なお、芳香剤格納部６２の半球形状部分は透明である。
【００８９】
図１３（ｂ）は、直動スライド部材１６０の構成について示す背面図である。同図から明らかな通り、長方形部材１６１上であって、芳香剤格納部１６２ａ〜１６２ｃに対応する位置には、背面側通気孔１６５ａ〜１６５ｃが設けられている。
【００９０】
芳香剤格納部１６２は、前面側通気孔１６４と背面側通気孔１６５とを有しているため、芳香剤格納部１６２は、通気性を有する。従って、例えば背面側から送風をされると、前面側に芳香剤１６３の香りを放出することができる。
【００９１】
また、芳香剤格納部１６２の半球形状部分は透明である。そのため、外部から芳香剤１６３の色を視認することができ、着色された芳香剤を通じて、視覚的に芳香剤のイメージを把握することができる。
【００９２】
図１４及び図１５を参照しつつ、折り畳むことで看板本体１１０へと挿入される厚紙製の支持体１３０の構成について説明する。
【００９３】
図１４は、支持体１３０の展開図（表面）である。支持体１３０は、組み立てた際に、背面となる第１の背面シート１３０ｄ、底面となる底面シート１３０ｅ、前面となる前面シート１３０ａ、上面となる上面シート１３０ｂ、背面となる第２の背面シート１３０ｃを順に連結して成り、組立時には、各シート間を折り曲げて、第１の背面シート１３０ｄの中央部に設けられた係止孔５３ｂに、第２の背面シート１３０ｃに備えられた係止部５３ａを挿入することにより、断面台形状にその形状を保持して、看板本体１１０を内側から支持する。
【００９４】
底面シート１３０ｅには、看板本体１１０の差し込み片１２１ａに対応する位置に、３つの開口部５４が設けられている。また、前面シート１３０ａには、中央部にファン１４２用のファン用孔１５１、人感センサ１３５用の小孔、及び、動作ランプ１３３が設けられている。さらに、上面シート１３０ｂには、ファン駆動ボタン１３２と、スピーカ用孔１３８から視認される背面側から取り付けられたスピーカ１３９が設けられ、その側部からは音量調節用の操作子１３４が突出している。
【００９５】
図１５は、支持体１３０の展開図（裏面）である。底面シート１３０ｅの背面には、電池ボックス１４３と、電池ボックス１４３に隣接して配置され、主電源スイッチ操作子１３１を含む主電源スイッチボックス１４４とが配置されている。また、前面シート１３０ａの裏面には、中央部にファン１４２と動作ランプ制御回路部１４６とが設けられ、その近傍に制御回路部１４１が設けられている。さらに、上面シート１３０ｂの裏面には、側部から突出するよう固定された音量調節用の操作子１３４、スピーカ１３９を背面から固定する固定具１４０、及びファン駆動ボタン３２を固定するファン駆動ボタン用孔１４５が設けられている。
【００９６】
上記各素子は、図示しないコネクタ等を介して有線で、前面シート１３０ａの裏面に配置された制御回路部１４１と接続されており、制御回路部は、後述のように各素子を動作させる。
【００９７】
＜２．２  放香装置の動作＞
次に、図１６を参照しつつ、放香装置１００の一連の動作について説明する。
【００９８】
本実施形態に係る放香装置１００は、小売店（例えば、スーパーマーケット）等に置かれるＰＯＰ広告用途で用いられ、例えば、芳香剤、洗濯洗剤、柔軟剤、シャンプー等のように、香りが商品選択の重要な要素となるあらゆる商品の売り場に配置され得る。
【００９９】
主電源スイッチ操作子１３１がオンの状態にある場合に、放香装置１００の前を人が通ると、当該人の通過は放香装置１００に備えられた人感センサ１３５により検出され、その検出に応じてスピーカ用孔１１３から「３種類の香りが試せます。選んでからボタンを押してください。」との操作ガイド音声が流される。
【０１００】
このような人感センサ１３５と連携した操作ガイド音声により、放香装置１００の前を通過する消費者に対して、放香装置１００への注意喚起と、放香装置１００に関する操作方法の提示を行うことができる。
【０１０１】
次に、消費者は、操作ガイド音声に従い、芳香剤格納部１６２等を掴んで長方形部材１６１をスライドさせ、第１〜第３の３つの芳香剤格納部１６２ａ〜１６２ｃのうちの１つを、所定の位置合わせ表示１１２の位置へと合わせる。
【０１０２】
図１６を参照しつつ、具体的に説明する。初期状態である図１６（ａ）のスライド前状態にあっては、第２の芳香剤格納部１６２ｂが中央のファン１４２とファン用孔１５１の直前に存在する。このとき、第３の芳香剤格納部１６２ｃに格納された第３の芳香剤１６３ｃを試したい消費者は、図１６（ｂ）のスライド後（その１）に示されるように、長方形部材１６１をスライドさせ、第３の芳香剤格納部１６２ｃを中央部に配置させる。また、第１の芳香剤格納部１６２ａに格納された第１の芳香剤１６３ａを試したい消費者は、図１６（ｃ）のスライド後（その２）に示されるように、長方形部材１６１をスライドさせ、第１の芳香剤格納部１６２ａを中央部に配置させる。このようにして消費者は、香りを試したい特定の芳香剤６３を選択することができる。
【０１０３】
なお、看板本体１１０の第１の前面シート１１０ａ上の位置合わせ表示１１２が示す位置は、看板本体１１０内のファン１４２の送風出口を示している。図１６において矢印で示される通り、吸気孔１１１から吸気され、ファン１４２から図示しない通風孔１２０の方向に送り出された気体は、第１の前面シート１３０ａに空けられたファン用孔１５１を介して、中央部に位置する芳香剤格納部１６２へと至り、背面側通気孔１６５及び前面側通気孔１６４を有して通気性を有する芳香剤格納部１６２を通じて外部へと送出される。
【０１０４】
すなわち、芳香剤格納部１６２は、同図の例にあっては、中央の位置にある場合にのみ、その内部の芳香剤１６３の香りを放出することができる。これにより、選択的に特定の芳香剤１６３の香りを放出することができる。
【０１０５】
また、上記位置合わせ表示１１２を有する構成によれば、看板本体１１０内のファン１４２の位置が装置外から目視できない場合であっても、適切に芳香剤格納部１６２の位置合わせを行うことができる。
【０１０６】
最後に、ファン駆動ボタン１３２が押下されると、看板本体１１０内のファン１４２が所定時間（例えば、５秒程度）駆動され、ファン用孔１５１を介して、中央に位置する芳香剤格納部１６２に向けて送風が行われる。この送風により、前記芳香剤格納部１６２内の芳香剤１６３の香りは、芳香剤格納部１６２の外部へと拡散される。なお、ファン１４２による送風が行われている間、動作ランプ１３３は点灯又は点滅している。
【０１０７】
このような構成によれば、ファン駆動ボタン１３２を積極的に押下して初めて消費者の所望の香りが漂うので、試そうとする香りの特定が容易となる。
【０１０８】
また、放香装置１００は、動作ランプ１３３を備えている。このような構成によれば、ファン１４２の駆動を放香装置の外部から直接目視することができない場合や、ファン１４２の動作音を確認することができない賑やかな売り場であっても、消費者は、送風が行われているか否かを動作ランプ１３３の状態から明確に確認することができる。これにより、売り場の消費者は、確実に特定の試したい香りを試すことができる。
【０１０９】
なお、本実施形態においては、ファンの駆動中に動作ランプが点灯又は点滅する構成について説明した。しかしながら、本発明はこのような例に限定されない。従って、消費者にファンが動作中であることを呈示する他の如何なる表示を採用してもよい。例えば、ファン駆動中に音声や音楽が流れる構成としてもよい。
【０１１０】
＜３．第３の実施形態＞
次に、第３の実施形態に係るＰＯＰ広告用の放香装置２００について説明する。上述の第１及び第２の実施形態に係る放香装置においては、いずれも、芳香剤格納部を看板本体よりも外側に配置している。しかしながら、本発明はこのような構成に限定されない。本実施形態においては、芳香剤格納部を看板本体の内部に配置する構成について説明する。
【０１１１】
＜３．１  放香装置の構成＞
図１７〜図１９を参照しつつ、放香装置２００の構成について説明する。
【０１１２】
図１７は、第３の実施形態に係る放香装置２００の外観斜視図である。放香装置２００は、販売促進対象となる商品に関する広告情報がその前面シート２１０ａに描かれた紙製のシートを箱状に成型した看板本体２１０と、看板本体２１０の前面シート２１０ａに設けられた扇形開口部２１４からその一部が露出し、看板本体２１０に挿入された図示しない支持体２３０に回転可能に支持された円形の回転体２６０と、を備える。後述するように、回転体２６０の所定の半径上には、その背後に、芳香剤２６３が格納され、通気性を有する芳香剤格納部２６２が配置された通風孔２６４が４つ設けられ、回転体２６０の中心部の選択つまみ２６１を回転させることにより、所望の芳香剤２６３に対応する通風孔２６４を選択することができる。なお、扇形開口部２１４の中心部付近の背後にはファン２４２が設けられている。従って、通風孔が２６４が、扇形開口部２１４の中心部付近に存在するときのみ、当該通風孔２４２からは格納する芳香剤２６３に対応する香りが放出される。
【０１１３】
図１８（ａ）は、放香装置２００の正面図である。同図から明らかな通り、看板本体２１０の前面シート２１０ａには、中央上部に、上述の扇形開口部２１４、中央に、回転体２６０を回転させるための選択つまみ２６１、右上部に、看板本体２１０の内部に配置されたファン２４２を動作させるファン駆動ボタン２３２、右下に、フォトレジスタ（例えば、ＣｄＳセンサ等）等を利用した人感センサ２３５、左上部に、内部にあるスピーカ２３９の位置と対応してスピーカ用孔２１３が設けられている。なお、看板本体２１０の左側面の左側面シート２１０ｃからは音量調節用の操作子２３４が突出している。  
【０１１４】
図１８（ｂ）は、放香装置２００の背面図である。同図から明らかな通り、看板本体２００の内側であって、背面シート２１０ｂの中央上部にはファン２４２が取り付けられ、背面シート２１０ｂ上のファン２４２に対応する位置には、吸気孔２１１が設けられている。また、同図の破線から明らかな通り、回転体２６０は、４つの直方体形状の芳香剤格納部２６２をその内部に保持している。
【０１１５】
図１９の分解斜視図を参照しつつ、放香装置２００の内部構成についてさらに説明する。看板本体２１０の右側面シート２１０ｄは、開閉可能に構成されており、当該開口から支持体２３０と、支持体２３０と係合された状態の回転体２６０とが挿入される。支持体２３０と回転体２６０とは、支持体の中央部の中心孔２５０へと回転つまみ２６１の背面側の突起部を係合させることにより、回転可能に軸止される。支持体２３０の中央孔２５０の上部には開口部２５１が設けられ、その背後に配置されたファン２４２より送風が行われる。
【０１１６】
回転体２６０は、前面側円板２６７と、背面側円板２６８と、その間に挟まれた４つの区画に仕切られた箱状の芳香剤格納部２６２ａ〜２６２ｄとから構成される。芳香剤格納部２６２ａ〜２６２ｄの内部には、芳香剤２６３ａ〜２６３ｄが配置される。芳香剤格納部２６２ａ〜２６２ｄの前面側には、前面側開口部２６９ａ〜２６９ｄが中央に配置され、芳香剤格納部２６２ａ〜２６２ｄの背面側には、背面側開口部２７０ａ〜２７０ｄが中央に配置される。前面側円板２６７の芳香剤格納部２６２ａ〜２６２ｄと対応する位置には、前面側通風孔２６４ａ〜２６４ｄが設けられ、背面側円板２６８の芳香剤格納部２６２ａ〜２６２ｄ対応する位置には、背面側通風孔２６５ａ〜２６５ｄが設けられている。芳香剤２６３は、種々の芳香成分を吸着可能な球状粒に、各種芳香成分、例えば、ミント、レモン、ローズマリー、ラベンダー、カモミール等の香り成分を吸着させたものである。すなわち、回転体２６０は、ファン２４２により背面から送風されると、図１９の矢印にて示される通り、背面側通風孔２６５、背面側開口部２７０、芳香剤２６３、前面側開口部２６９を通じて、前面側通風孔２６４へと通ずる気体流路を有する。
【０１１７】
＜３．２  放香装置の動作＞
次に、放香装置２００の一連の動作について説明する。
【０１１８】
本実施形態に係る放香装置２００は、小売店（例えば、スーパーマーケット）等に置かれるＰＯＰ広告用途で用いられ、例えば、芳香剤、洗濯洗剤、柔軟剤、シャンプー等のように、香りが商品選択の重要な要素となるあらゆる商品の売り場に配置され得る。
【０１１９】
主電源スイッチ操作子２３１がオンの状態にある場合に、放香装置２００の前を人が通ると、当該人の通過は放香装置２００に備えられた人感センサ２３５により検出され、その検出に応じてスピーカ用孔２１３から「４種類の香りが試せます。選んでからボタンを押してください。」との操作ガイド音声が流される。
【０１２０】
このような人感センサ２３５と連携した操作ガイド音声により、放香装置２００の前を通過する消費者に対して、放香装置２００への注意喚起と、放香装置２００に関する操作方法の提示を行うことができる。
【０１２１】
次に、消費者は、操作ガイド音声に従い、回転体２６０の中心部の選択つまみ２６１を回転させることにより、第１〜第４の芳香剤格納部２６２ａ〜２６２ｄのうちの１つを扇形開口部２４１の位置へと合わせて選択する。なお、前面側円板２６７の表面には、４区画に分けて各芳香剤に関する情報が描かれている。例えば、バラの香りの芳香剤２６３に対応する区画には、赤色の背景に「可憐なフローラルスウィートの香り」といった文字が印字されている。
【０１２２】
最後に、ファン駆動ボタン２３２が押下されると、看板本体２１０内のファン２４２が所定時間（例えば、５秒程度）駆動され、ファン用孔２５１を介して、回転体２６０の上部に向けて送風が行われる。この送風により、前記芳香剤格納部２６２内の芳香剤２６３の香りは、芳香剤格納部２６２の外部へと拡散される。
【０１２３】
このような構成によれば、ファン駆動ボタン２３２を積極的に押下して初めて消費者の所望の香りが漂うので、試そうとする香りの特定が容易となる。
【０１２４】
以上のような構成によれば、回転体２６０が、看板本体２１０内に収納されているので、コンパクトな放香装置２００を実現することができる。
【０１２５】
＜４．第４の実施形態＞
次に、第４の実施形態に係るＰＯＰ広告用の放香装置３００について説明する。上述の第１〜第３の実施形態に係る放香装置においては、いずれも、芳香剤を保持する部材をファンに対して相対的に移動させることで、香りを放出させる芳香剤を切り替える構成としている。しかしながら、本発明はこのような構成に限定されない。本実施形態においては、芳香剤の側を固定し、ファンの側を移動させる構成について説明する。
【０１２６】
＜４．１  放香装置の構成＞
図２０及び図２１を参照しつつ、放香装置３００の構成について説明する。
【０１２７】
図２０は、放香装置３００の外観斜視図である。放香装置３００は、広告対象となる商品に関する情報が描かれた紙製の看板本体３１０と、看板本体３１０へと挿入される芳香剤保持部３６０と、看板本体３１０へと挿入され、芳香剤保持部３６０の背後に配置されるファン保持部３８０とから構成される。
【０１２８】
看板本体３１０の前面シート３１０ａには、４つの香りに対応して通風孔３１５ａ〜３１５ｄ、ファン駆動ボタン３３２、スピーカ用孔３１３、人感センサ３３５用の小孔とが設けられている。また、看板本体３１０の左側面シート３１０ｃには、スピーカの音量調節を行うための音量調節用の操作子３３４が設けられている。さらに、看板本体３１０の上面シート３１０ｂには、主電源スイッチ操作子３３１と、スライド孔３１６から突出したファン移動操作子３８１とが配置されている。
【０１２９】
図２１は、放香装置３００の組立態様について示す部分分解斜視図である。芳香剤保持部３６０には、隔壁３６６に仕切られ、粒上の芳香剤３６３ａ〜３６３ｄをそれぞれ内包する４つの芳香剤格納袋３６２ａ〜３６２ｄが配置されている。また、各芳香剤格納袋３６２ａ〜３６２ｄの背面には、ファン３４２からの風が通る通風孔３６５ａ〜３６５ｄが設けられている。なお、芳香剤３６３は、種々の芳香成分を吸着可能な球状粒に、各種芳香成分、例えば、ミント、レモン、ローズマリー、ラベンダー、カモミール等の香り成分を吸着させたものである。
【０１３０】
ファン保持部３８０には、前記芳香剤格納袋３６２ａ〜３６２ｄの区画に対応して、送風孔３８４ａ〜３８４ｄが設けられており、送風孔３８４ａ〜３８４ｄの上下には、谷となる位置が各送風孔３８４ａ〜３８４ｄの位置と一致する山谷を有する平行なジグザグ状のガイド孔３８３ａ、３８３ｂが設けられている。ファン３４２は、ファン移動操作子３８１の下端に固定され、上下の留め具３８２ａ、３８２ｂを介して、上下のガイド孔３８３ａ、３８３ｂへとスライド可能に係合される。
【０１３１】
各送風孔３８４ａ〜３８４ｄの位置は、上下のガイド孔３８３ａ、３８３ｂの谷の位置と一致し、当該谷の位置においてファン移動操作子３８１は安定する。従って、ファン移動操作子３８１の操作者は、各芳香剤３６３ａ〜３６３ｄに対応するファン移動操作子３８１の位置を、感覚的に把握することができる。
【０１３２】
図２１の矢印にて示される通り、ファン３４２が駆動されると、ファン３４２から送り出される気体は、送風孔３８４、通風孔３６５、芳香剤３６３、通風孔３１５を通じて看板本体３１０の外部へと至る。すなわち、ファン移動操作子３８１をスライドさせることにより、選択的に各芳香剤３６３ａ〜３６３ｄの香りを放出することが可能な放香装置を提供することができる。
【０１３３】
＜４．２  放香装置の動作＞
次に、放香装置３００の一連の動作について説明する。
【０１３４】
本実施形態に係る放香装置３００は、小売店（例えば、スーパーマーケット）等に置かれるＰＯＰ広告用途で用いられ、例えば、芳香剤、洗濯洗剤、柔軟剤、シャンプー等のように、香りが商品選択の重要な要素となるあらゆる商品の売り場に配置され得る。
【０１３５】
主電源スイッチ操作子２３１がオンの状態にある場合に、放香装置３００の前を人が通ると、当該人の通過は放香装置３００に備えられた人感センサ３３５により検出され、その検出に応じてスピーカ用孔３１３から「４種類の香りが試せます。選んでからボタンを押してください。」との操作ガイド音声が流される。
【０１３６】
このような人感センサ３３５と連携した操作ガイド音声により、放香装置３００の前を通過する消費者に対して、放香装置３００への注意喚起と、放香装置３００に関する操作方法の提示を行うことができる。
【０１３７】
次に、消費者は、操作ガイド音声に従い、ファン移動操作子３８１を左右方向にスライド移動させ、試したい芳香剤３６３を選択する。このとき、前面シート３１０ａ上であって、最終的な香りの放出孔となる通風孔３１５ａ〜３１５ｄの下には、各芳香剤と対応する商品の絵が描かれている。
【０１３８】
図２２を参照しつつ、消費者が、一の芳香剤３６３を選択する様子について具体的に説明する。図２２（ａ）は、ファン移動操作子３８１を移動させる前の初期状態について示している。このとき、ファン移動操作子３８１の下端に固定されているファン３４２は、図中において点線で示されるように、最も左に位置する芳香剤３６３ａへと送風可能な位置に配置されている。図２２（ｂ）は、消費者がファン移動操作子３８１を移動させた後の状態について示している。このとき、ファン移動操作子３８１の下端に固定されているファン３４２は、図中において点線で示されるように、最も右に位置する芳香剤３６３ｄへと送風可能な位置に配置されている。この状態において、後述するようにファン３４２を駆動させれば、芳香剤３６３ｄの香りが通風孔３１５ｄから放出される。
【０１３９】
最後に、ファン駆動ボタン３３２が押下されると、看板本体３１０内のファン３４２が所定時間（例えば、５秒程度）駆動され、送風孔３８４、通風孔３６５、芳香剤３６３、通風孔３１５を通じて看板本体３１０の外部へと送風が行われる。この送風により、前記芳香剤格納袋３６２内の芳香剤３６３の香りは外部へと拡散される。
【０１４０】
このような構成によれば、ファン駆動ボタン３３２を積極的に押下して初めて消費者の所望の香りが漂うので、試そうとする香りの特定が容易となる。
【０１４１】
以上のような構成によれば、芳香剤３６３ではなく、ファン３４２を相対的に移動させる構成によっても、選択的に香りを放出することが可能な放香装置３００を実現することができる。
【０１４２】
＜５．第５の実施形態＞
次に、第５の実施形態に係るＰＯＰ広告用の放香装置４００について説明する。上述の第１〜第４の実施形態に係る放香装置においては、いずれも、芳香剤又はファンのいずれかを互いに平行な状態を保ちつつ相対的に移動させることにより、選択的に香りを放出する構成とした。しかしながら、本発明はこのような構成に限定されない。本実施形態においては、ファンの風向を切り替えることにより、選択的に香りを放出する構成について説明する。
【０１４３】
＜５．１  放香装置の構成＞
図２３〜図２５を参照しつつ、ＰＯＰ広告用の放香装置４００の構成について説明する。
【０１４４】
図２３は、放香装置４００の外観斜視図である。放香装置４００は、紙製の素材を組み立てることにより断面六角形状に成型された看板本体４１０を有する。看板本体４１０の前面シート４１０ａには、関連する商品の広告情報が描かれ、複数の羽板から成る左右対称な第１のルーバ４１５ａと第２のルーバ４１５ｂ、内部のスピーカからの音声を放出するスピーカ用孔４１３、及び人感センサ４１２が配置されている。ルーバ４１５は、車載エアコンディショナの吹き出し口を模擬したものであり、ルーバ取り付け式の第１の芳香装置４３０ａ及び第２の芳香装置４３０ｂが取り付けられている。芳香装置４３０内には液体状の芳香成分が含まれている。また、左側面シート４１０ｃには、主電源スイッチ操作子４１１が設けられ、上面シート４１０ｂには、後述する風向調節板４２０へと接続され、左右にねじることが可能な風向調節つまみ４１４が設けられている。
【０１４５】
図２４は、放香装置４００の正面図である。同図の破線で示される通り、看板本体４１０の内部の中央下部には、スピーカ４１８、中央左下部には、電池ボックス４１７と左側面から突出する主電源操作子４１１、中央右下部には、人感センサ４１２と右側面から突出する音量調節用の操作子４１６が配置されている。また、同図の破線で示される通り、看板本体４１０の内部の中央上部には、第１のルーバ４１５ａと第２のルーバ４１５ｂとの間にファン４１９が配置されている。
【０１４６】
図２５は、放香装置４００の部分破断図である。同図の破断部分から明らかな通り、風向調節つまみ４１４の下部には、ファン４１９の直前に長方形の風向調節板４２０が取り付けられ、風向調節つまみ４１４をねじることにより、ファン４１９の風向を調節することができる。なお、第１の芳香装置４３０ａと第２の芳香装置４３０ｂの背面には、それぞれ取付クリップ４３１ａ、４３１ｂが設けられており、当該取付クリップ４３１ａ、４３１ｂを介して羽板へと取り付けられている。
【０１４７】
＜５．２  放香装置の動作＞
次に、放香装置４００の一連の動作について説明する。
【０１４８】
本実施形態に係る放香装置４００は、小売店（例えば、スーパーマーケット）等に置かれるＰＯＰ広告用途で用いられ、特に、ルーバ取り付け式の芳香装置４３０に好適であるから、例えば、自動車の車内用芳香剤売り場等に配置され得る。
【０１４９】
主電源スイッチ操作子４１１がオンの状態にある場合に、放香装置４００の前を人が通ると、当該人の通過は放香装置４００に備えられた人感センサ４１２により検出され、その検出に応じて、スピーカ用孔４１３から「切り替えレバ―で左右の香りが試せます。」との操作ガイド音声が流され、それと同時にファン４１９が駆動される。
【０１５０】
このような人感センサ４１２と連携した操作ガイド音声により、放香装置４００の前を通過する消費者に対して、放香装置４００への注意喚起と、放香装置４００に関する操作方法の提示を行うことができる。
【０１５１】
また、人感センサ４１２の検出結果に応じて、ファン４１９が同時に駆動されることから、売り場に来た消費者の手を煩わせることなく自然と芳香を漂わせることができる。これにより、消費者に当該芳香に係る商品への注意喚起を行うことができる。
【０１５２】
次に、消費者は、操作ガイド音声に従い、風向調節つまみ４１４を時計／反時計方向に回転させ、第１の放香装置４３０ａ又は第２の放香装置４３０ｂを選択する。
【０１５３】
図２６を参照しつつ、消費者が、一の芳香装置を選択する様子について具体的に説明する。図２６（ａ）は、風向調節板４２０が初期位置にあるときの状態を示している。風向調節板４２０は、ファン４１９に垂直な状態にあり、この状態でファン４１９が駆動されると、第１のルーバ４１５ａ及び第２のルーバ４１５ｂの双方へと均等に風が送られる。図２６（ｂ）は、風向調節つまみ４１４を操作した後の風向切替後の状態を示すものである。このとき、風向調節板４２０は、風向調節つまみ４１４の軸を中心として時計回りに回転している。この状態で、ファン４１９が駆動されると、ファン４１９に送り出される気体は、同図において矢印で示される通り、図中左側の第１の芳香装置４３０ａへと導かれ、図中右側の第２の芳香装置４３０ｂへの流入は遮断される。
【０１５４】
このような構成によれば、簡易な構成にて、香りが混ざることなく、一方の芳香装置４３０の香りのみを放出することが可能な放香装置４００を提供することができる。
【０１５５】
以上のような構成によれば、風向を調節することによっても、選択的に特定の芳香剤の香りを放出することが可能な放香装置４００が提供される。
【産業上の利用可能性】
【０１５６】
本発明によれば、複数の香りを選択的に放出可能なＰＯＰ広告用放香装置を提供することができ、当該装置は、少なくともＰＯＰ広告の分野において利用可能である。
【符号の説明】
【０１５７】
１  放香装置（第１の実施形態）
１０  看板本体
１１  吸気孔
１２  位置合わせ表示
１３  スピーカ用孔
１４  円形開口部
１５  主電源スイッチ用孔
１６  ファン駆動ボタン用孔
１７  動作ランプ用孔
１８  音量調節用の操作子用孔
１９  人感センサ用孔
３０  支持体
３１  主電源スイッチ操作子
３２  ファン駆動ボタン
３３  動作ランプ
３４  音量調節用の操作子
３５  人感センサ
３６  主電源スイッチ用孔
３７  音量調節用の操作子用孔
３８  スピーカ用孔
３９  スピーカ
４０  固定具
４１  制御回路部
４２  ファン
４３  電池ボックス
４４  主電源スイッチボックス
４５  ファン駆動ボタン用孔
４６  動作ランプ制御回路部
５１  送風孔
６０  回転体
６１ａ  留めピン
６１ｂ  留め具
６１ｃ  留めピン用孔
６２  芳香剤格納部
６３  芳香剤
６４  前面側通気孔
６５  背面側通気孔
６８  回転ディスク
１００  放香装置（第２の実施形態）
１１０  看板本体
１１１  吸気孔
１１２  位置合わせ表示
１１３  スピーカ用孔
１１４  開口部
１１５  主電源スイッチ用孔
１１６  ファン駆動ボタン用孔
１１７  動作ランプ用孔
１１８  音量調節用の操作子用孔
１１９  人感センサ用孔
１２０  通風孔
１２１ａ  差し込み片
１２１ｂ  スリット
１３０  支持体
１３１  主電源スイッチ操作子
１３２  ファン駆動ボタン
１３３  動作ランプ
１３４  音量調節用の操作子
１３５  人感センサ
１３８  スピーカ用孔
１３９  スピーカ
１４０  固定具
１４１  制御回路部
１４２  ファン
１４３  電池ボックス
１４４  主電源スイッチボックス
１４５  ファン駆動ボタン用孔
１４６  動作ランプ制御回路部
１５１  送風孔
１５３ａ  係止部
１５３ｂ  係止孔
１５４  開口部
１６０  回転体
１６１  長方形部材
１６２  芳香剤格納部
１６３  芳香剤
１６４  前面側通気孔
１６５  背面側通気孔
１６６  凹部
２００  放香装置（第３の実施形態）
２１０  看板本体
２１３  スピーカ用孔
２１４  扇形開口部
２１５  主電源スイッチ用孔
２１８  音量調節用の操作子用孔
２１９  人感センサ用孔
２３０  支持体
２３１  主電源スイッチ操作子
２３２  ファン駆動ボタン
２３４  音量調節用の操作子
２３５  人感センサ
２３９  スピーカ
２４２  ファン
２４５  ファン駆動ボタン用孔
２５０  中心孔
２５１  ファン用孔  
２６０  回転体
２６１  回転つまみ
２６２  芳香剤格納部
２６３  芳香剤
２６４  前面側通風孔
２６５  背面側通風孔
２６７  前面側円板
２６８  背面側円板
２６９  前面側開口部
２７０  背面側開口部
３００  放香装置（第４の実施形態）
３１０  看板本体
３１１  吸気孔
３１３  スピーカ用孔
３１５  通風孔
３１６  スライド孔
３３１  主電源スイッチ操作子
３３２  ファン駆動ボタン
３３４  音量調節用の操作子
３３５  人感センサ
３４２  ファン  
３６０  芳香剤保持部
３６２  芳香剤格納袋
３６３  芳香剤
３６５  通風孔
３６６  隔壁
３８１  ファン移動操作子
３８２  留め具
３８３  ガイド孔
３８４  送風孔
４００  放香装置（第５の実施形態）
４１０  看板本体
４１１  主電源スイッチ操作子
４１２  人感センサ
４１３  スピーカ用孔
４１４  風向調節つまみ
４１５  ルーバ
４１６  音量調節用の操作子
４１７  電池ボックス
４１８  スピーカ
４１９  ファン
４２０  風向調節板
４３０  芳香装置
４３１  取付クリップ
【図１】
2017207721.tif 000003
【図２】
2017207721.tif 000004
【図３】
2017207721.tif 000005
【図４】
2017207721.tif 000006
【図５】
2017207721.tif 000007
【図６】
2017207721.tif 000008
【図７】
2017207721.tif 000009
【図８】
2017207721.tif 000010
【図９】
2017207721.tif 000011
【図１０】
2017207721.tif 000012
【図１１】
2017207721.tif 000013
【図１２】
2017207721.tif 000014
【図１３】
2017207721.tif 000015
【図１４】
2017207721.tif 000016
【図１５】
2017207721.tif 000017
【図１６】
2017207721.tif 000018
【図１７】
2017207721.tif 000019
【図１８】
2017207721.tif 000020
【図１９】
2017207721.tif 000021
【図２０】
2017207721.tif 000022
【図２１】
2017207721.tif 000023
【図２２】
2017207721.tif 000024
【図２３】
2017207721.tif 000025
【図２４】
2017207721.tif 000026
【図２５】
2017207721.tif 000027
【図２６】
2017207721.tif 000028